(57)【要約】      （修正有）【課題】避難誘導性を具備するものでありながら、周囲のインテリアへの影響が少なく、且つ、壁、床、天井、巾木、階段のステップなどに簡単に取り付けることができる避難誘導用蓄光体を提供する。【解決手段】蓄光性を有する芯鞘形もしくは中実形の棒状体１１であり、その横断面を三角形、扇形または台形に形成する。これらの形状により、壁と床又は天井の接点、壁と巾木の接点、壁と壁の接点、床面、壁と階段のステップの接点、階段のステップ前端部、階段の立ち上げ部と踏み込み部の接点などに避難誘導ラインとして容易に設置することができる。【選択図】図２
0003147322.tif 000002
【実用新案登録請求の範囲】
【請求項１】
蓄光性を有する棒状体であり、その横断面をほぼ三角形に成したことを特徴とする避難誘導用蓄光体。
【請求項２】
蓄光性を有する棒状体が芯鞘形である請求項１記載の避難誘導用蓄光体。
【請求項３】
鞘部を透明な合成樹脂で形成し、芯部を三角形に形成させたベース部と、該ベース部の傾斜面に積層させた蓄光性部により形成してなる請求項２記載の避難誘導用蓄光体。
【請求項４】
鞘部を透明な合成樹脂で形成し、芯部を三角形に形成させたベース部と、該ベース部の直角に交差する二辺に積層させた蓄光性部により形成してなる請求項２記載の避難誘導用蓄光体。
【請求項５】
芯部全体を蓄光性部で形成してなる請求項２記載の避難誘導用蓄光体。
【請求項６】
蓄光性を有する棒状体が中実形である請求項１記載の避難誘導用蓄光体。
【請求項７】
蓄光性を有する棒状体であり、その横断面を台形に形成したことを特徴とする避難誘導用蓄光体。
【請求項８】
蓄光性を有する棒状体が芯鞘形である請求項７記載の避難誘導用蓄光体。
【請求項９】
鞘部を透明な合成樹脂で形成し、芯部を台形のベース部と、該ベース部の傾斜面に積層させた蓄光性部により形成してなる請求８記載の避難誘導用蓄光体。
【請求項１０】
蓄光性を有する棒状体が中実形である請求項７記載の避難誘導用蓄光体。
【請求項１１】
蓄光性を有する棒状体であり、その横断面を台形に形成し、かつ、台形に形成したベース部の傾斜面に蓄光性部を積層させたことを特徴とする避難誘導用蓄光体。
【請求項１２】
蓄光性部を三角形に折り曲げることができるベース部によって支持することを特徴とする避難誘導用蓄光体。
【請求項１３】
平板状に形成した蓄光性部を三角形に折り曲げることによって支持することを特徴とする避難誘導用蓄光体。
【請求項１４】
棒状体の端部に斜めに傾斜した傾斜端面を設けた請求項１、７又は１１記載の避難誘導用蓄光体。
【考案の詳細な説明】
【技術分野】
【０００１】
本考案は、停電などの非常時に、夜間や暗所において、しばらくの間、視認性を与える避難誘導用蓄光体に関するものである。
【背景技術】
【０００２】
現在、わが国においては、緊急時の避難誘導に関して、誘導灯及び誘導標識・安全標識として、消防法及びＪＩＳ  Ｚ９１０７で規定されている。一方、ＩＳＯ  １６０６９は、２００４年正式に国際規格となり、以来、ＩＳＯ  １６０６９とＪＩＳ  Ｚ９１０７の整合化が課題となって今日に至っている。
【０００３】
蓄光による避難誘導について、ＩＳＯには、壁、床、階段のステップなどに１００ｍｍ幅の連続蓄光ラインを張り巡らして、非常時の暗所で人々を非常口に導くものとある。しかし、ＩＳＯにしたがって壁、床、階段のステップなどに１００ｍｍ幅の避難誘導用の蓄光テープを連続的に張り巡らしたのでは、平常時（明るい状況下）において、周囲のインテリアへの影響が大きいため、ＩＳＯの規格をそのままＪＩＳ規格に入れることはできないとの意見が強い。
【０００４】
従って、ＩＳＯとＪＩＳの整合化が待たれるが、本考案者は、１００ｍｍ幅の避難誘導用蓄光テープに代わるものとして、長年、研究や実験を重ねて本考案に到ったのである。
【考案の開示】
【考案が解決しようとする課題】
【０００５】
本考案の目的は、避難誘導性を具備するものでありながら、周囲のインテリアへの影響が少なく、且つ、壁、床、天井、巾木、階段のステップなどに簡単に取り付けることができる避難誘導用蓄光体を提供することにある。
【課題を解決するための手段】
【０００６】
本願の請求項１に係る考案は、蓄光性を有する芯鞘形の棒状体であり、その横断面を三角形に成したことを特徴とする避難誘導用蓄光体である。
【０００７】
本願の請求項２に係る考案は、請求項１において、蓄光性を有する棒状体が芯鞘形であることを特徴とする避難誘導用蓄光体である。
【０００８】
本願の請求項３に係る考案は、請求項２において、鞘部を透明な合成樹脂で形成し、芯部を三角形に形成させたベース部と、該ベース部の傾斜面に積層させた蓄光性部により形成してなる記載の避難誘導用蓄光体である。
【０００９】
本願の請求項４に係る考案は、請求項２において、鞘部を透明な合成樹脂で形成し、芯部を三角形に形成させたベース部と、該ベース部の直角二等辺部に積層させた蓄光性部により形成してなる避難誘導用蓄光体である。
【００１０】
本願の請求項５に係る考案は、請求項２において、芯部全体を蓄光性部で形成してなる避難誘導用蓄光体である。
【００１１】
本願の請求項６に係る考案は、請求項１において、蓄光性を有する棒状体が中実形であることを特徴とする避難誘導用蓄光体である。
【００１２】
本願の請求項７に係る考案は、蓄光性を有する棒状体であり、その横断面を台形に形成したことを特徴とする避難誘導用蓄光体である。
【００１３】
本願の請求項８に係る考案は、請求項７において、蓄光性を有する棒状体が芯鞘形であることを特徴とする避難誘導用蓄光体である。
【００１４】
本願の請求項９に係る考案は、請求項７において、鞘部を透明な合成樹脂で形成し、芯部を台形のベース部と、該ベース部の傾斜面に積層させた蓄光性部により形成してなる避難誘導用蓄光体である。
【００１５】
本願の請求項１０に係る考案は、請求項７において、蓄光性を有する棒状体が中実形であることを特徴とする避難誘導用蓄光体である。
【００１６】
本願の請求項１１に係る考案は、蓄光性を有する棒状体であり、その横断面を台形に形成し、かつ、台形に形成したベース部の傾斜面に蓄光性部を積層させたことを特徴とする避難誘導用蓄光体である。
【００１７】
本願の請求項１２に係る考案は、蓄光性部を三角形に折り曲げることができるベース部によって支持することを特徴とする避難誘導用蓄光体である。また、本願の請求項１３にかかる考案は、平板状に形成した蓄光性部を三角形に折り曲げることによって支持することを特徴とする避難誘導用蓄光体である。
【００１８】
本願の請求項１４に係る考案は、請求項１、７又は１１において、棒状体の端部に斜めに傾斜した傾斜端面を設けた避難誘導用蓄光体である。
【考案の効果】
【００１９】
本願の請求項１に係る考案によれば、避難誘導用蓄光体の横断面がほぼ三角形であるから、壁と床及び／又は天井の接点、壁と巾木及び／又は天井の接点、壁と壁の接点、床面、壁と階段のステップの接点、階段のステップ前端部、階段の立ち上げ部と踏み込み部の接点などに避難誘導ラインとして容易に設置することができる。
【００２０】
従って、緊急時の空間認識の観点から非常に有効であり、かつ、平常時のインテリアデザインを損なうこともない。また、横断面が三角形の避難誘導用蓄光体を壁と床及び／又は天井の接点などに装着することで、斜め下方向、或いは、斜め上方向の燐光が出現するため、見やすく有効である。
【００２１】
しかも、テープと異なり、避難誘導用蓄光体の三辺のうち、二辺が壁などに固着されるため、剥がれ難いなどの利点がある。また、床面に断面が三角の溝を設けることで床面にも簡単に設置することができる。
【００２２】
また、本願の請求項７及び１１に係る考案によれば、本願の請求項１に係る考案の効果のほか、壁と床及び／又は天井の接点、壁と巾木及び／又は天井の接点、壁と壁の接点に凹凸などがあっても装着することができる。
【００２３】
また、本願の請求項１３に係る考案によれば、棒状体の端部に斜めに傾斜した傾斜端面を設けたため、塵や埃などを掻き出し易くなる。
【考案を実施するための最良の形態】
【００２４】
以下、本考案の実施の形態について図を用いて具体的に説明する。なお、同じ部材には、同じ符号を付け、説明の重複を回避する。また、本考案の実施形態を示した図３〜７、９〜１０に図示された蓄光体の断面は直角二等辺三角形であるが、これは例示に過ぎず、本考案の蓄光体の形状は断面が直角二等辺三角形のものに限定されない。具体的には、図中の蓄光体には断面が不等辺三角形である立体や、湾曲面を有する立体である蓄光体を含む。
【００２５】
図１に示すように、第１の実施形態に係る避難誘導用蓄光体１０は、蓄光性を有する芯鞘形の棒状体１１であり、その横断面は、図２に示すように、芯部２１及び鞘部３１とも直角二等辺三角形に形成されている。その上、鞘部３１を透明な合成樹脂で形成し、芯部２１を直角二等辺三角形に形成させたベース部２２と、ベース部２２の傾斜面２３に積層させた蓄光性部２４により形成している。
【００２６】
棒状体１１は、二つの直角二等辺部を接合部１２とし、二つの接合部１２，１２に対して４５度の角度で傾斜している面を燐光面１３としている。
【００２７】
蓄光性部は、透明な熱可塑性合成樹脂中に蓄光性材料を分散させたものであり、熱可塑性合成樹脂は、特に制限を受けるものはないが、ポリ塩化ビニル樹脂、メタクリル樹脂、ポリカーボネート樹脂などが好ましい。蓄光性薄膜層としては、透明な熱可塑性合成樹脂中に蓄光性材料を分散させたシート状のものが好ましい。
【００２８】
蓄光性材料としては、燐光現象を有する物質を用いた材料であり、太陽光や電灯光などの光線を吸収蓄積し、その蓄積した光りを徐々に放出、発光するものであれば、特に、制限使用することができる。中でも、蓄光輝度や蓄光時間などの蓄光性に優れる点で、アルミナ、酸化ストロンチウム、酸化バリウム、酸化カルシウム、酸化セシウムなどの金属酸化物と、Ｅｕ（ユウロピウム）、Ｄｙ（ディスプロシウム）、Ｒｕ（ルテニウム）、Ｔｂ（テルビウム）などの希土類元素を焼成してなる材料などが好ましい。
【００２９】
蓄光性材料は、蓄光性部を構成する樹脂に対して、通常、５〜３００重量％の範囲で使用されるが、これに限定されるものではなく、その蓄光性材料の性質に応じて目的が達成される範囲において使用される。
【００３０】
鞘部としては、透明性を有するアクリル樹脂が好ましい。また、ベース部としては、アクリル、木材、アルミ、ガラス、プラスチック、ゴムなど考えられる全ての素材を挙げることができる。
【００３１】
避難誘導用蓄光体１０を不連続で使用する場合は、図３に示すように、棒状体１１の両端に斜めに傾斜した傾斜端面１４を設けると、塵や埃などを掻き出し易くなる。
【００３２】
次に、避難誘導用蓄光体の使用例について説明するが、使用例としては、大別して、平面空間に使用する場合と、階段部に使用する場合の二つの場合がある。
【００３３】
平面空間１００に使用する場合は、図４及び図５に示すように、避難誘導用蓄光体１０を壁１０１と床１０２の接点１０３及び／又は壁１０１と天井１０４の接点１０５に設置すると共に、隣接する壁１０１と壁１０１の接点１０６に避難誘導用蓄光体１０を設置し、更に、図７に示すように、床１０２の上に避難誘導用蓄光体１０を設置する。
【００３４】
他方、図６に示すように、巾木１０７がある場合には、壁１０１と巾木１０７の接点１０８に避難誘導用蓄光体１０を設置する。また、床１０２上に避難誘導用蓄光体１０を設置する場合は、図７に示すように、床１０２上に断面が直角三角形の溝１０９を設け、その溝内に避難誘導用蓄光体１０を設置する。
【００３５】
この例の場合は、図５〜図７に示すように、避難誘導用蓄光体１０の二つの接合部１２，１２を壁１０１や溝１０９などの固定面に接着剤などを用いて接着し、燐光面１３を平面空間１００内に向ける。こうすることで、停電などの緊急時の空間認識が容易となり、避難誘導用蓄光体１０に沿って安全に避難することができる。
【００３６】
他方、階段部１２０の場合は、図８に示すように、壁１２１と階段のステップ１２２の接点１２３に沿って避難誘導用蓄光体１０を連続的に設置する。さらに、ステップ１２２と立ち上げ部の奥側の接点１２６に沿って避難誘導用蓄光体１０を設置する。また、図９に示すように、ステップ１２２の前端部に設置されている滑止め部１２４の横溝１２５内に避難誘導用蓄光体１０を設置する。滑止め部がない場合には、図１０に示すように、ステップ１２２の立ち上げ部１２７と踏み込み部１２８に避難誘導用蓄光体１０を設置して、停電などの緊急時の避難誘導に供する。
【００３７】
避難誘導用蓄光体１０としては、図１１に示すように、棒状体１１の鞘部３１を透明な合成樹脂で形成し、棒状体１１の芯部２１を直角二等辺三角形に形成させたベース部２２と、該ベース部２２の直角二等辺部２５に積層させた蓄光性部２４により形成することもできる。
【００３８】
また、図１２に示すように、棒状体１１の芯部２１全体を蓄光性部２４で形成することもできる。
【００３９】
以上の説明では、横断面を直角二等辺三角形に形成させた避難誘導用蓄光体について説明したが、これに限らず、図１３に示すように、棒状体１１の横断面を芯鞘両部とも台形に形成し、鞘部３１を透明な合成樹脂で形成し、芯部２１をベース部２２と、該ベース部２２の傾斜面２３に積層させた蓄光性部２４により形成することもできる。
【００４０】
また、図１４に示すように、棒状体１１の横断面を台形に形成し、かつ、台形に形成したベース部２２の傾斜面２３に蓄光性部２４を積層させることもできる。
【００４１】
また、図１５及び図１６に示すように、蓄光性部２４を三角形に折り曲げることができるベース部２６によって支持することもできる。この場合、蓄光性部２４の両端に相当するベース部２６に切り込み部２７を設けてベース部２６の折り曲げを容易にしている。さらに、図１７に示すように、ベース部２６を構成する樹脂に蓄光性材料を分散させて蓄光性部２４とすることができる。
【００４２】
避難誘導用蓄光対１０としては、図１８に示すように、断面部が２つの接合部１２と、これらに接続する傾斜面２３からなる中実な棒状のベース部２２を有し、且つ、前記傾斜面２３に蓄光性薄膜層３３を積層させたものでもよい。
【００４３】
また、図１９に示すように、ベース部２２の傾斜面２３に蓄光性塗料３３と、透明なオーバーコート層３４を順次積層させ、オーバーコート層３４による蓄光性薄膜層３３の保護を図ることができる。
【００４４】
また、図２０に示すように、ベース部２２の傾斜面２３に発光反射層３５と、蓄光性薄膜層３３と、透明なオーバーコート層３４とを順次積層させ、前記発光反射層３５による前記蓄光性薄膜層３３の保護と照射度向上を図ることができる。
【００４５】
また、避難誘導用蓄光体１０としては、図２１に示すように、二つの接合部１５と、これらの接合部に接続する燐光面１３からなる透明で、かつ、中実な棒状のベース部５２を有し、且つ、前記接合面１５の少なくとも一方に蓄光性薄膜層３３を積層させ、前記ベース部５２にオーバーコート層の役目を持たせることができる。
【００４６】
また、避難誘導用蓄光対１０としては、図２２に示すように、蓄光性層３３の背面に発光反射層３５を積層させて、発光反射層３５によって蓄光性薄膜層３３の照射度を向上させることができる。
【００４７】
また、避難誘導用蓄光体１０としては、図２３に示すように、内部が層を形成しない中実形であってもよい。この場合には、ベース部２２が蓄光性を有する蓄光性部２４であり、透明な熱可塑性合成樹脂中に蓄光性材料を分散させた組成物により構成される。また、図２３に示す避難誘導用蓄光体は、前記ベース部２２の傾斜面１３に透明なオーバーコート層（図示せず）を積層させ、蓄光性部１３の保護を図ることができる。さらに、前記ベース部２２の二つの接合部１２に発光反射層（図示せず）を積層させて、発光反射層によって蓄光性部２４の照射度を向上させることができる。
【００４８】
また、避難誘導用蓄光体１０としては、図２４に示すように、ベース部２２の傾斜面２３を湾曲面１７にすることもできる。また、図２５に示すように、湾曲面を持つ芯部２１と鞘部３１からなる棒状体１１であってもよい。また、これらの湾曲面をもつ避難誘導用蓄光体の蓄光性部２４の背面に発光反射層（図示せず）を積層させて、発光反射層によって蓄光性部２４の照射度を向上させることができる。
【００４９】
さらに、傾斜面が湾曲面である避難誘導用蓄光体１０としては、図２６に示すように、ベース部２２の傾斜面２３に発光反射層３５と、蓄光性薄膜層３３と、透明なオーバーコート層３４とを必要に応じて積層させることができる。
【００５０】
また、避難誘導用蓄光体１０としては、図２７に示すように、横断面が不等辺三角形であってもよい。上記断面が不等辺三角形である避難誘導用蓄光体１０は、中実形であっても芯鞘形であってもよい。また、蓄光性部は棒状体全体、もしくは任意の部分とすることができる。また、透明のオーバーコート層、発光反射層を必要に応じて積層することができる。
【００５１】
更に、避難誘導用蓄光体１０としては、図２８に示すように、横断面が二つの接合部１２と、これらに接続する傾斜面２３からなる筒型のベース部２２を有し、且つ、ベース部２２の全長に渡る切欠き部４３を設けてベース部２２の軽量化を図ることができる。
【図面の簡単な説明】
【００５２】
【図１】本考案に係る避難誘導用蓄光体の第１の実施形態を示す正面図である。
【図２】図１のＸ-Ｘ断面図の１種である。
【図３】本考案に係る避難誘導用蓄光体の第２の実施形態を示す平面図である。
【図４】本考案に係る避難誘導用蓄光体を平面空間に使用した実施形態を示す斜視図である。
【図５】図４のＡ部の拡大断面図である。
【図６】図４のＡ部の変形例を示す拡大断面図である。
【図７】図４のＢ部の拡大断面図である。
【図８】本考案に係る避難誘導用蓄光体を階段部に使用した実施形態を示す斜視図である。
【図９】図８のＣ部の拡大断面図である。
【図１０】図８のＣ部の変形例を示す拡大断面図である。
【図１１】本考案に係る避難誘導用蓄光体の第２の実施形態を示す断面図である。
【図１２】本考案に係る避難誘導用蓄光体の第３の実施形態を示す断面図である。
【図１３】本考案に係る避難誘導用蓄光体の第４の実施形態を示す断面図である。
【図１４】本考案に係る避難誘導用蓄光体の第５の実施形態を示す断面図である。
【図１５】本考案に係る避難誘導用蓄光体の第６の実施形態の初期状態を示す断面図である。
【図１６】本考案に係る避難誘導用蓄光体の第６の実施形態を示す断面図である。
【図１７】本考案に係る避難誘導用蓄光体の第７の実施形態の初期状態を示す断面図である。
【図１８】図１のＸ−Ｘ断面図の１実施態様である。
【図１９】図１のＸ−Ｘ断面図の１実施態様である。
【図２０】図１のＸ−Ｘ断面図の１実施態様である。
【図２１】図１のＸ−Ｘ断面図の１実施態様である。
【図２２】図１のＸ−Ｘ断面図の１実施態様である。
【図２３】図１のＸ−Ｘ断面図の１実施態様である。
【図２４】図１のＸ−Ｘ断面図の１実施態様である。
【図２５】図１のＸ−Ｘ断面図の１実施態様である。
【図２６】図１のＸ−Ｘ断面図の１実施態様である。
【図２７】図１のＸ−Ｘ断面図の１実施態様である。
【図２８】図１のＸ−Ｘ断面図の１実施態様である。
【符号の説明】
【００５３】
１０    避難誘導用蓄光体
１１    棒状体
１２    接合部
１３    燐光面
１４    傾斜端面
１５    ベース部の接合面
２１    芯部
２２    ベース部
２３    ベース部の傾斜面
２４    蓄光性部
２５    ベース部の直角二等辺部
２６    ベース部（折り曲げ可能）
２７    切込み部
３１    鞘部
３３    蓄光性薄膜層
３４    オーバーコート層
３５    発光反射層
４３    切欠き部
５２    ベース部
１００  平面空間
１０１  壁
１０２  床
１０３  床と壁の接点
１０４  天井
１０５  壁と天井の接点
１０６  隣接する壁と壁の接点
１０７  巾木
１０８  床と巾木の接点
１０９  断面が直角三角形の溝
１２０  階段部
１２１  壁
１２２  ステップ
１２３  壁と階段の接点
１２４  階段の滑り止め部
１２５  滑り止め部の横溝
１２６  ステップと立ち上げ部の奥側の接点
１２７  ステップの立ち上げ部
１２８  ステップの踏み込み部
【図１】
0003147322.tif 000003
【図２】
0003147322.tif 000004
【図３】
0003147322.tif 000005
【図４】
0003147322.tif 000006
【図５】
0003147322.tif 000007
【図６】
0003147322.tif 000008
【図７】
0003147322.tif 000009
【図８】
0003147322.tif 000010
【図９】
0003147322.tif 000011
【図１０】
0003147322.tif 000012
【図１１】
0003147322.tif 000013
【図１２】
0003147322.tif 000014
【図１３】
0003147322.tif 000015
【図１４】
0003147322.tif 000016
【図１５】
0003147322.tif 000017
【図１６】
0003147322.tif 000018
【図１７】
0003147322.tif 000019
【図１８】
0003147322.tif 000020
【図１９】
0003147322.tif 000021
【図２０】
0003147322.tif 000022
【図２１】
0003147322.tif 000023
【図２２】
0003147322.tif 000024
【図２３】
0003147322.tif 000025
【図２４】
0003147322.tif 000026
【図２５】
0003147322.tif 000027
【図２６】
0003147322.tif 000028
【図２７】
0003147322.tif 000029
【図２８】
0003147322.tif 000030
【手続補正書】
【提出日】平成20年10月21日(2008.10.21)
【手続補正１】
【補正対象書類名】実用新案登録請求の範囲
【補正対象項目名】全文
【補正方法】変更
【補正の内容】
【実用新案登録請求の範囲】
【請求項１】
蓄光性を有する棒状体であり、その横断面をほぼ三角形に成したことを特徴とする避難誘導用蓄光体。
【請求項２】
蓄光性を有する棒状体が芯鞘形である請求項１記載の避難誘導用蓄光体。
【請求項３】
鞘部を透明な合成樹脂で形成し、芯部を三角形に形成させたベース部と、該ベース部の傾斜面に積層させた蓄光性部により形成してなる請求項２記載の避難誘導用蓄光体。
【請求項４】
鞘部を透明な合成樹脂で形成し、芯部を三角形に形成させたベース部と、該ベース部の直角に交差する二辺に積層させた蓄光性部により形成してなる請求項２記載の避難誘導用蓄光体。
【請求項５】
芯部全体を蓄光性部で形成してなる請求項２記載の避難誘導用蓄光体。
【請求項６】
蓄光性を有する棒状体が中実形である請求項１記載の避難誘導用蓄光体。
【請求項７】
蓄光性を有する棒状体であり、その横断面を台形に形成したことを特徴とする避難誘導用蓄光体。
【請求項８】
蓄光性を有する棒状体が芯鞘形である請求項７記載の避難誘導用蓄光体。
【請求項９】
鞘部を透明な合成樹脂で形成し、芯部を台形のベース部と、該ベース部の傾斜面に積層させた蓄光性部により形成してなる請求項８記載の避難誘導用蓄光体。
【請求項１０】
蓄光性を有する棒状体が中実形である請求項７記載の避難誘導用蓄光体。
【請求項１１】
蓄光性を有する棒状体であり、その横断面を台形に形成し、かつ、台形に形成したベース部の傾斜面に蓄光性部を積層させたことを特徴とする避難誘導用蓄光体。
【請求項１２】
蓄光性部を三角形に折り曲げることができるベース部によって支持することを特徴とする請求項１記載の避難誘導用蓄光体。
【請求項１３】
平板状に形成した蓄光性部を三角形に折り曲げることによって支持することを特徴とする請求項１記載の避難誘導用蓄光体。
【請求項１４】
棒状体の端部に斜めに傾斜した傾斜端面を設けた請求項１、７又は１１記載の避難誘導用蓄光体。